(57)【特許請求の範囲】
【請求項１】
例えば取付け具や上記取付け具のスリーブに差し込まれる金属管端部、あるいは構造物を接続する別の管等を、外れない状態で接続するための圧締具において、少なくとも２つの部分とトング状の圧締クランプで構成される圧締ループで構成され、上記部分が上記圧締ループの閉鎖領域内に配置されており、上記圧締クランプの２つの半分部分の開放端部は相互に対応する連結装置を備えており、上記連結装置（８，９）が一方では部分的に球形状のカムと他方では部分的に球面上状のキャップとで構成された蝶番タイプの構造を有し、上記連結装置（８，９）を支点として上記圧締クランプ（４）が圧締ループ（３）の平面に対して回転することを特徴とする圧締具。
【請求項２】
上記カム（８）が上記閉鎖領域内に配置された部分（１，２）の端部上に取り付けられ、上記キャップ（９）が圧締クランプ（４）の２つの半分部分（４ａ，４ｂ）の開放端部上に取り付けられていることを特徴とする請求項１記載の圧締具。
【請求項３】
上記カム（８）が圧締クランプ（４）の２つの半分部分（４ａ，４ｂ）の開放端部上に取り付けられ、上記キャップ（９）が上記閉鎖領域内に配置された部分（１，２）の端部上に取り付けられていることを特徴とする請求項１記載の圧締具。
【発明の詳細な説明】
【０００１】
本発明は、例えば、取付け具と上記取付け具のスリーブに差し込まれる金属管端部、あるいは構造物を接続する別の管を外れない状態で接続するための圧締具において、少なくとも２つの部分とトング状の圧締クランプで構成される圧締ループで構成され、上記部分が上記圧締ループの閉鎖領域内に配置されており、上記圧締クランプの２つの半分部分の開放端部は相互に対応する連結装置を備えている圧締具に関連している。
【０００２】
上に述べたタイプの圧締具は多くの異なった実施形態で知られており、取付け具のスリーブを常温成形で上記金属管の端部に圧締させて、外れない状態でしっかりした接続を確立するために用いられている。
【０００３】
圧締ループが２つだけの部分を有している圧締具が知られている。こうした圧締ループは特に直径が小さな場合に用いられる。しかしながら、環状形態で相互に接続されたチェーン・リンクで構成される圧締ループも知られている。そうした圧締ループは直径が大きな場合に特に適している。
【０００４】
圧締ループが２つ以上のいくつかの部分で構成されているかどうかには関係なく、周知の圧締具の場合の連結装置は圧締クランプを圧締ループに押し付け、圧締ループの共通平面状でだけ操作できるように構成されている。
【０００５】
圧締ループのアドレス平面と、従って圧締クランプの有効平面も取付け具の長軸に対して垂直に、従って、その取付け具に接続される金属管の縦軸に対しても垂直に配置されている。こうした接続は空間条件が狭いことから、パイプを設置する場合の建築現場で主に行われるが、圧締クランプと圧締ループとの連結及びその操作が非常に困難な条件の下でのみ設置者によって行われるという不都合が生じる。
【０００６】
本発明の目的は圧締クランプが空間的に狭い条件でもその圧締クランプを操作しやすい状態で圧締、操作できるような上記タイプの圧締具を提供することである。
【０００７】
本発明によれば、この目的は連結装置が蝶番タイプの構造を有していて、圧締クランプが圧締ループに対して回転運動できるようにすることによって達成される。
【０００８】
その結果、圧締ループと共通の平面に圧締具を適用することが不可能な場合は、その圧締クランプのほとんどすべての任意の他の角度を圧締ループの平面に対して調節することができ、従って、上記圧締クランプをその圧締ループに対して何ら問題を引き起こすことなくほとんどの部品に対して適用できるだけでなく、何の問題も伴わずに操作することが可能であるという点で、上記目的が達成される。これは設置者が考えられるほとんどすべての状況でそうした圧締具を使用することをより容易にしてくれる。
【０００９】
連結装置が一方では部分的に球面状のカムで構成され、他方で部分的に非球面上のキャップで構成されていることは製造と適用の両方の面で有利である。
【００１０】
このタイプの設計に基づく連結装置は圧締ループに対する圧締クランプの回転運動性がよく、実際の応用に適している。さらに、このタイプの連結装置はこれらの部品が通常精密鋳造でつくられ、対応する連結装置がそれに対応する精密鋳造金型に対応する形状を必要とするだけであるので、簡単でコスト効果の高い方法で圧締ループ上に取付けることができると同時に圧締クランプにも取付けることができる。
【００１１】
カムは閉鎖領域に配置された部分の端部上に戴置することができ、そしてキャップは圧締クランプの２つの半分部分の自由端部上に取付けることができる。
【００１２】
当然のことであるが、カムを圧締クランプの２つの半分部分上に取付けて、キャップを閉鎖領域に配置された部分の端部に取付けるという逆の構成も可能であり、まったく不具合を伴わない。
【００１３】
本発明の実施の形態を添付図面に示し、以下に詳細に説明する。
【００１４】
図１〜５に示す本発明の実施の形態において、圧締具は２つの部分１と２及び圧締クランプ４でつくられた圧締ループ３で構成されており、その２つの半分部分４aと４bは軸５を中心に、トングの場合と同様の方法で回転運動させることができる。
【００１５】
図１に示されているような周知の方法で、圧締ループ３をそのスリーブに差し込まれる金属管端部７と外れない状態で接続される取付け具の周囲に開放状態で入れて、その後、２つの部分１と２を手作業あるいはバネの力で、図に示すように圧締ループ３と圧締クランプ４との間の連結が可能になるように締め合わせる。圧締ループ３と圧締クランプ４上に設けられた相互に対応する連結装置がこの位置で相互作用する。本発明によれば、これらの連結装置は蝶番タイプの構造をしており、従って、圧締ループ３の平面に対して回転運動させることができる。
【００１６】
図示されている実施の形態で、連結装置８と９は圧締ループ３の閉鎖領域に配置された部分１と２の端部上で部分的に球状のカムの形状をしていると同時に、圧締ループ４の２つの半分部分４aと４bの開放端部上で対応する部分的に球状のキャップの形状を有している。
【００１７】
圧締クランプ４を作動させることにより、閉鎖位置の領域に配置された圧締ループの部分１と２の２つの端部を図２の位置から図３の閉鎖位置に締め合わせることができ、それによって取付け具６のスリーブが固定された、そして外れない状態で金属管端部７上に常温成形で圧締される。
【００１８】
連結装置８、９が蝶番タイプの構造をしている結果として、図５の例に示すように、圧締クランプ４を圧締ループ３の平面に対して（あるいはその逆に）回転運動させることができるのは特に有意義でそして好適である。取付け状態が完了すると、圧締クランプ４をそれぞれに最も好適な作動位置で圧締ループ３に対して圧締クランプ４を連結、作動させることができる。
【００１９】
図６の実施の形態は図１−５に示す実施の形態と、圧締ループ３がいくつかの部分１、２、１０及び１１で構成されている点だけが異なっており、参照番号１と２で示されている部分はこの場合も圧締ループ３の閉鎖位置に配置されており、圧締クランプ４と連結することができる。
【００２０】
この場合も、連結装置８と９は蝶番状の構造をしており、図１−５に示す実施の形態に関連して述べたように、閉鎖領域に配置された部分１と２の端部上の部分的に球状のカムと、圧締クランプ４の２つの半分部分の開放端部上の部分的に球状のキャップで構成されている。
【００２１】
図７の実施の形態は連結装置８と９の部分的に球状のカムが圧締クランプ４の２つの半分部分4a及び４bの開放端部上に取付けられており、部分的に球状のキャップは閉鎖領域に配置された圧締ループ３の部分１と２の端部上に設けられている点だけが上記の実施の形態とは異なっている。
【００２２】
また、図６と７の実施の形態では、圧締クランプ４を圧締ループ３に関連して蝶番方式で回転運動させることができるので、この場合も圧締具全体を狭い空間条件の下で適用する場合に適切に用いることができる。
【図面の簡単な説明】
【図１】図１は本発明による圧締具の平面図で圧締ループは開いており、圧締クランプは未だ上記圧締ループに取付けられていない。
【図２】図２は基本的には図１に対応した圧締具の図であり、圧締ループと圧締具が相互に連結されている。
【図３】図３は図２に対応する圧締具の図で、圧締ループが締め合わせられた後の状態を示している。
【図４】図４は図３の矢印IVの方向の図である。
【図５】図５は図４と基本的に対応する圧締具の図で、上記圧締具と圧締クランプとの間の異なった角度位置を例として示している。
【図６】図６は本発明の別の実施の形態による圧締具の図である。
【図７】図７は図６に対応する本発明の別の実施の形態を示す図である。
【符号の説明】
１，２…部分、３…圧締ループ、４…圧締クランプ、５…軸、６…取付け具、７…金属管端部、８，９…連結装置。
【図１】
0004112208.tif 000002
【図２】
0004112208.tif 000003
【図３】
0004112208.tif 000004
【図４】
0004112208.tif 000005
【図５】
0004112208.tif 000006
【図６】
0004112208.tif 000007
【図７】
0004112208.tif 000008